(57)【特許請求の範囲】
【請求項１】
マイクロ無線用反射板（４）への着雪を防止するためのマイクロ無線反射板用着雪防止器具であって、
円柱状のロッド（１１）および該ロッドの外周面に取り付けられた複数枚のらせん羽根（１２）をそれぞれ備えた複数本の羽根付ロッド（１０）と、
該複数本の羽根付ロッドを、前記ロッドの軸方向に沿って振動可能にかつ該ロッドの中心軸を回転軸として回転可能に、前記マイクロ無線用反射板の反射面側に所定の間隔で取り付けるための羽根付ロッド取付手段（２１，２２，３１，３２，４１，４２）と、
を具備することを特徴とする、マイクロ無線反射板用着雪防止器具。
【請求項２】
前記複数本の羽根付ロッドが、前記らせん羽根を２枚ずつ備え、
該２枚のらせん羽根が、前記ロッドの上端から下端まで１８０°捻られて、該ロッドの周方向に１８０°の間隔で取り付けられている、
ことを特徴とする、請求項１記載のマイクロ無線反射板用着雪防止器具。
【請求項３】
前記複数枚の羽根付ロッドが、マイクロ波を透過する素材からなることを特徴とする、請求項１または２記載のマイクロ無線反射板用着雪防止器具。
【請求項４】
前記羽根付ロッド取付手段が、複数個の上部スプリング（２１）、複数個の下部スプリング（２２）、上部ワイヤ（３１）および下部ワイヤ（３２）を備え、
前記複数個の上部スプリングの一端が前記複数本の羽根付ロッドの前記ロッドの上端面の中央部に回転自在にそれぞれ取り付けられているとともに、該複数個の上部スプリングの他端が前記上部ワイヤに前記所定の間隔でそれぞれ固定されており、
前記複数個の下部スプリングの一端が前記複数本の羽根付ロッドの前記ロッドの下端面の中央部に回転自在に取り付けられているとともに、該複数個の下部スプリングの他端が前記下部ワイヤに前記所定の間隔でそれぞれ固定されている、
ことを特徴とする、請求項１乃至３いずれかに記載のマイクロ無線反射板用着雪防止器具。
【請求項５】
前記マイクロ無線用反射板が、固定台（３）を介して鉄塔（１）に取り付けられており、
前記羽根付ロッド取付手段が、２個の上部Ｌ型固定金具（４１）および２個の下部Ｌ型固定金具（４２）をさらに備え、
前記２個の上部Ｌ型固定金具が、他端部が前記マイクロ無線用反射板側に突出するように、一端部が前記固定台の上端部の裏面の左右両端部にそれぞれ取り付けられており、
前記２個の下部Ｌ型固定金具が、他端部が前記マイクロ無線用反射板側に突出するように、一端部が前記固定台の下端部の裏面の左右両端部にそれぞれ取り付けられており、
前記上部ワイヤが、両端部が前記２個の上部Ｌ型固定金具の他端部にそれぞれ固定されることにより、該２個の上部Ｌ型固定金具間に前記マイクロ無線用反射板の上面と平行に張られており、
前記下部ワイヤが、両端部が前記２個の下部Ｌ型固定金具の他端部にそれぞれ固定されることにより、該２個の下部Ｌ型固定金具間に前記マイクロ無線用反射板の下面と平行に張られている、
ことを特徴とする、請求項４記載のマイクロ無線反射板用着雪防止器具。
【発明の詳細な説明】
【技術分野】
【０００１】
本発明は、降雪量の多い山間部に設置されているマイクロ無線用反射板への着雪を防止するのに好適なマイクロ無線反射板用着雪防止器具に関する。
【背景技術】
【０００２】
降雪量の多い日本海側の山間部に設置されているマイクロ無線用反射板では、冬季に反射面（板面）に大量に着雪すると、雪による電波の吸収・散乱により電界強度が低下して、最悪の場合にはマイクロ無線通信回線がルート断となる。
このような場合には、マイクロ無線用反射板は山中にあるケースが多く、マイクロ無線用反射板の除雪のために作業員が現地に向かうことは困難であることから、天候状況が回復して落雪・融雪により障害が解消するまで待つしかない。
そのため、この間はマイクロ無線通信回線がルート断となったままとなるので、マイクロ無線通信回線の信頼度が低下したままの状況となる。
【０００３】
このような状況を回避するため、従来では、マイクロ無線用反射板の反射面に数本のロープを上部から吊るし、風を利用して着雪を取り除く対策を実施しているケースもある。
【０００４】
なお、下記の特許文献１には、風力で回転する回転羽根の回転力により、払拭子で反射面を払拭するとともに、発電機を連動して回転させ、その回転により発生された発電機の電力を充電装置で充電し、着雪感知装置により降雪または着雪を感知した時にその充電電力で発熱体を発熱させることにより、反射面または回転羽根を暖めて雪を溶かし、着雪防止を行うようにした自掃式視線誘導標が開示されている。
【先行技術文献】
【特許文献】
【０００５】
【特許文献１】特開平０７−１１３２１５号公報
【発明の概要】
【発明が解決しようとする課題】
【０００６】
しかしながら、上述した数本のロープを用いた対策では、風速が弱い降雪時などではロープ自体に着雪してしまい、マイクロ無線用反射板の反射面に付着した雪を取り除くことができず、有効な対策とならないという問題がある。
【０００７】
本発明の目的は、マイクロ無線用反射板の反射面への着雪を確実に防止することができるマイクロ無線反射板用着雪防止器具を提供することにある。
【課題を解決するための手段】
【０００８】
本発明のマイクロ無線反射板用着雪防止器具は、マイクロ無線用反射板（４）への着雪を防止するためのマイクロ無線反射板用着雪防止器具であって、円柱状のロッド（１１）および該ロッドの外周面に取り付けられた複数枚のらせん羽根（１２）をそれぞれ備えた複数本の羽根付ロッド（１０）と、該複数本の羽根付ロッドを、前記ロッドの軸方向に沿って振動可能にかつ該ロッドの中心軸を回転軸として回転可能に、前記マイクロ無線用反射板の反射面側に所定の間隔で取り付けるための羽根付ロッド取付手段（２１，２２，３１，３２，４１，４２）とを具備することを特徴とする。
ここで、前記複数本の羽根付ロッドが、前記らせん羽根を２枚ずつ備え、該２枚のらせん羽根が、前記ロッドの上端から下端まで１８０°捻られて、該ロッドの周方向に１８０°の間隔で取り付けられていてもよい。
前記複数枚の羽根付ロッドが、マイクロ波を透過する素材からなってもよい。
前記羽根付ロッド取付手段が、複数個の上部スプリング（２１）、複数個の下部スプリング（２２）、上部ワイヤ（３１）および下部ワイヤ（３２）を備え、前記複数個の上部スプリングの一端が前記複数本の羽根付ロッドの前記ロッドの上端面の中央部に回転自在にそれぞれ取り付けられているとともに、該複数個の上部スプリングの他端が前記上部ワイヤに前記所定の間隔でそれぞれ固定されており、前記複数個の下部スプリングの一端が前記複数本の羽根付ロッドの前記ロッドの下端面の中央部に回転自在に取り付けられているとともに、該複数個の下部スプリングの他端が前記下部ワイヤに前記所定の間隔でそれぞれ固定されていてもよい。
前記マイクロ無線用反射板が、固定台（３）を介して鉄塔（１）に取り付けられており、前記羽根付ロッド取付手段が、２個の上部Ｌ型固定金具（４１）および２個の下部Ｌ型固定金具（４２）をさらに備え、前記２個の上部Ｌ型固定金具が、他端部が前記マイクロ無線用反射板側に突出するように、一端部が前記固定台の上端部の裏面の左右両端部にそれぞれ取り付けられており、前記２個の下部Ｌ型固定金具が、他端部が前記マイクロ無線用反射板側に突出するように、一端部が前記固定台の下端部の裏面の左右両端部にそれぞれ取り付けられており、前記上部ワイヤが、両端部が前記２個の上部Ｌ型固定金具の他端部にそれぞれ固定されることにより、該２個の上部Ｌ型固定金具間に前記マイクロ無線用反射板の上面と平行に張られており、前記下部ワイヤが、両端部が前記２個の下部Ｌ型固定金具の他端部にそれぞれ固定されることにより、該２個の下部Ｌ型固定金具間に前記マイクロ無線用反射板の下面と平行に張られていてもよい。
【発明の効果】
【０００９】
本発明のマイクロ無線反射板用着雪防止器具は、以下に示す効果を奏する。
（１）マイクロ無線用反射板の反射面に雪が大量に降っても、各羽根付ロッドが風または自然落雪によって回転または振動することで落雪を加速するため、マイクロ無線用反射板の反射面への着雪を確実に防止することができる。
（２）電源設備が不要なことから電気的なメンテナンスが不要であり、点検は通常の巡視程度でよいので、保守が容易である。
（３）冬季の雪害対策としてだけではなく、近年において日本海側山間部で多発している異常降雪などの自然災害による異常時にも、マイクロ無線通信を継続できる技術として活用することができる。
【図面の簡単な説明】
【００１０】
【図１】本発明の一実施例によるマイクロ無線反射板用着雪防止器具の構成を示すブロック図であり、（ａ）は鉄塔１に取り付けられたマイクロ無線反射板４の反射面方向から見た図であり、（ｂ）は鉄塔１に取り付けられたマイクロ無線反射板４の右側面方向から見た図であり、（ｃ）は羽根付ロッド１０の構成および取付方法を説明するための図である。
【発明を実施するための形態】
【００１１】
上記の目的を、複数本の羽根付ロッドをロッドの軸方向に沿って振動可能にかつロッドの中心軸を回転軸として回転可能にマイクロ無線用反射板の反射面側に所定の間隔で取り付けることにより実現した。
【実施例１】
【００１２】
以下、本発明のマイクロ無線反射板用着雪防止器具の実施例について図面を参照して説明する。
なお、以下の説明では、図１（ａ），（ｂ）に示すように、マイクロ無線用反射板４（以下、「反射板４」と称する。）は架台２および金属製の固定台３を介して鉄塔１に取り付けられており、反射板４の寸法は縦５ｍおよび横６ｍであるとする。
【００１３】
本発明の一実施例によるマイクロ無線反射板用着雪防止器具は、図１（ａ），（ｂ）に示すように、１０本の羽根付ロッド１０と、１０個の上部スプリング２１と、１０個の下部スプリング２２と、１本の上部ワイヤ３１と、１本の下部ワイヤ３２と、２個の上部Ｌ型固定金具４１と、２個の下部Ｌ型固定金具４２とを具備する。
【００１４】
ここで、羽根付ロッド１０は、図１（ｃ）に示すように、円柱状のロッド１１と、ロッド１１の外周面に取り付けられた２枚のらせん羽根１２とを備える。
ロッド１１の径は１０ｃｍであり、らせん羽根１２の横幅は１０ｃｍである。
２枚のらせん羽根１２は、ロッド１１の上端から下端まで１８０°捻られて、ロッド１１の周方向に１８０°の間隔で取り付けられている。
【００１５】
各上部スプリング２１は、一端が各羽根付ロッド１０のロッド１１の上端面の中央部に回転自在に取り付けられているとともに、他端が上部ワイヤ３１に固定されている。
同様に、各下部スプリング２２は、一端が各羽根付ロッド１０のロッド１１の下端面の中央部に回転自在に取り付けられているとともに、他端が下部ワイヤ３２に固定されている。
これにより、各羽根付ロッド１０は、各上部スプリング２１および各下部スプリング２２によってロッド１１の軸方向に沿って振動可能とされているとともに、ロッド１１の中心軸を回転軸として回転可能とされている。
【００１６】
２個の上部Ｌ型固定金具４１は、他端部が反射板４側に突出するように、一端部が固定台３の上端部の裏面（反射板４と反対側の面）の左右両端部にそれぞれ取り付けられている。
同様に、２個の下部Ｌ型固定金具４２は、他端部が反射板４側に突出するように、一端部が固定台３の下端部の裏面の左右両端部にそれぞれ取り付けられている。
上部ワイヤ３１は、両端部が２個の上部Ｌ型固定金具４１の他端部にそれぞれ固定されることにより、２個の上部Ｌ型固定金具４１間に水平に（反射板４の上面と平行に）張られている。
同様に、下部ワイヤ３２は、両端部が２個の下部Ｌ型固定金具４２の他端部にそれぞれ固定されることにより、２個の下部Ｌ型固定金具４２間に水平に（反射板４の下面と平行に）張られている。
【００１７】
各羽根付ロッド１０は、図１（ａ）に示すように、各上部スプリング２１の他端が上部ワイヤ３１に６０ｃｍの間隔で固定されるとともに各下部スプリング２２の他端が下部ワイヤ３２に６０ｃｍの間隔で固定されることにより、６０ｃｍの取付間隔で、かつ、反射板４の反射面との間に僅かな隙間が形成されるように、かつ、各ロッド１１の軸方向が反射板４の側面と平行になるように、反射板４の反射面側に取り付けられている。
なお、各羽根付ロッド１０は、反射板４の反射面側に取り付けられるため、マイクロ波を透過する（炭素その他の導電性物質を含まない）とともに軽量で耐久性のある難着雪塗料（雪との接着性の低い樹脂）をコーティングされた素材を使用して構成されている。
【００１８】
本実施例によるマイクロ無線反射板用着雪防止器具を用いることにより、以下に示す着雪防止効果を得ることができるため、反射板４に大量の雪が降っても、各羽根付ロッド１０が風または自然落雪によって回転または振動することで落雪を加速し、反射板４の反射面に大量に着雪することを防ぐことができる。
（１）雪の自然落下を利用した着雪防止効果
羽根付ロッド１０を反射板４の反射面側に１０本（複数本）設置することにより、反射板４の反射面に積った雪を垂直方向に複数の塊に分断することで、雪の自然落下を促進することができる。
また、２枚のらせん羽根１２を取り付けた羽根付ロッド１０を上部スプリング２１および下部スプリング２２を介して水平に張った上部ワイヤ３１および下部ワイヤ３２に取り付けることにより、ある程度の積雪量になると雪がその自重によってらせん羽根１２に沿って自然落下し、この際、ロッド１１がらせん状羽根１２によって回転するとともに上部スプリング２１および下部スプリング２２によって振動するため、羽根付ロッド１０に大量に着雪することも防ぐことができる。
（２）風を利用した着雪防止効果
風が強い場合だけでなく弱い場合でも、羽根付ロッド１０に取り付けられた２枚のらせん羽根１２が風圧を受けて回転および振動するため、反射板４の反射面および羽根付ロッド１０に付着した雪を落下させることができる。
【符号の説明】
【００１９】
１  鉄塔
２  架台
３  固定台
４  反射板
１０  羽根付ロッド
１１  ロッド
１２  らせん羽根
２１  上部スプリング
２２  下部スプリング
３１  上部ワイヤ
３２  下部ワイヤ
４１  上部Ｌ型固定金具
４２  下部Ｌ型固定金具
【図１】
0005973475.tif 000002